(57)【特許請求の範囲】
【請求項１】
屋内の所定の部屋に設置された洗濯機に湯水を供給するための洗濯機用水栓であって、前記部屋の床下に配設された配管に接続されると共に、少なくとも操作部が前記洗濯機を載置する洗濯機用パンにて覆われることを特徴とする洗濯機用水栓。
【発明の詳細な説明】
【０００１】
【発明の属する技術分野】
この発明は、洗濯機に湯水を供給するための洗濯機用水栓に関する。
【０００２】
【従来の技術】
旧来の洗濯機用水栓は、洗濯機が設置される部屋（洗面所等）の壁面から突出する状態に設置されていた。そして、洗濯機用水栓への給水（給水及び給湯）を行うための配管を、壁内で埋設状に処理することが必要であったため、配管施工やメンテナンスの手間、工数、コスト等が多くなっていた。
また、パネル工法（壁構造）で施工した部屋等では、壁パネル内部に配管を埋設することが困難なため、本来の内壁面を構成する壁パネルの前方に、他の壁パネルを付加し、両壁パネル間で配管を引き回すことが行われていた。従って、この種の部屋では、「他の壁パネル」を部屋内へとせり出させる分だけ、有効スペースが狭くなるという問題をも有していた。
【０００３】
これらの問題を解決するために、（１）洗濯機が設置される床面に開口部を設け、この開口部に取着される防水蓋の上面に、洗濯機用水栓を突出状に配置すること（実公平２−４５３２５号公報）や、（２）床面と洗濯機との間に介在される洗濯機用パンに、洗濯機用水栓を突出状に配置すること（特開平９−１７０２４９号公報、特開１０−１８３７６号公報）が行われている。これらの手法によれば、壁内での配管処理が不要となるため、配管施工やメンテナンスの手間、工数、コストが低減すると共に、パネル工法（壁構造）を用いた部屋等に対しても有効に適用できる。
【０００４】
【発明が解決しようとする課題】
しかし、前記（１）及び（２）の従来例によると、洗濯機用水栓の水栓本体、操作部（ハンドル、レバー等）等が床面（防水蓋）や洗濯機用パンより突出して邪魔になったり、洗濯機周囲の美観を損ねることがある。また、床面等に露呈する操作部に、使用者の足や、誤って落下した洗剤容器等が不用意に接触し、誤操作を招くことがある。尚、特に全自動洗濯機に適用される洗濯機用水栓では、その操作部に一端、給水操作が施されると、滅多に操作されないのが一般的なため、前記各従来例では、操作頻度が低い操作部を徒に露呈させていると考えられる。
【０００５】
一方、特開平９−１９５３４３号公報には、壁面にケーシングを埋め込み、このケーシング内に洗濯機用水栓を配置したものが提案されている。この洗濯機用水栓では、水栓本体や操作部をケーシング内に配置するため、邪魔になり難いと共に操作部の誤操作を生じ難い。しかし、あくまでも、壁にケーシング等を埋め込んだり、壁内での配管処理等が必要なため、施工やメンテナンスの手間、工数、コストが多くなると共に、パネル工法で施工した部屋等には不向きである。
【０００６】
本各発明はこのような実状に鑑みてなされたものであり、その目的とするところは、配管施工やメンテナンスの手間、工数、コスト等を低減できると共に、種々の工法で施工された部屋に対してその有効スペースを狭めることなく、好適に設置できる洗濯機用水栓を提供することである。
【０００７】
【課題を解決するための手段】
本出願において参考的に開示する第１の発明（以下、「参考発明１」という。）は、
「屋内の所定の部屋に設置された洗濯機に湯水を供給するための洗濯機用水栓であって、前記部屋の床面に埋設された収納ボックスに組み込まれると共に、部屋の床下に配設された配管に接続されること」
をその要旨とする。
【０００８】
参考発明１によると、配管処理を床下で行えば足りるため、配管施工やメンテナンスの手間、工数、コスト等が低減される。また、本洗濯機用水栓をパネル工法を用いた部屋等に設置する場合にも、その有効スペースを狭めることはない。更に、本洗濯機用水栓が収納ボックス内に組み込まれるため、邪魔になり難く、洗濯機周囲の美観が向上すると共に、操作部の誤操作を生じ難くなる。
【０００９】
次に、請求項１の発明については、
「屋内の所定の部屋に設置された洗濯機に湯水を供給するための洗濯機用水栓であって、前記部屋の床下に配設された配管に接続されると共に、少なくとも操作部が前記洗濯機を載置する洗濯機用パンにて覆われること」
をその要旨とする。
【００１０】
請求項１の発明によると、配管処理を床下で行えば足りるため、配管施工やメンテナンスの手間、工数、コスト等が低減される。また、本洗濯機用水栓をパネル工法を用いた部屋等に設置する場合にも、その有効スペースを狭めることはない。更に、操作部等が洗濯機用パンにて覆われるため、邪魔になり難く、洗濯機周囲の美観が向上すると共に、操作部の誤操作を生じ難くなる。尚、本洗濯機用水栓には、その水栓本体及び操作部を洗濯機用パンにて覆う態様の他に、例えば、水栓本体を床面に埋設し、床面上に露呈する操作部のみを洗濯機用パンにて覆う態様等も含まれる。また、本発明の「配管」は、床下より立ち上げられて水栓本体に接続されるものに限定されず、例えば、少なくとも端末部を略水平方向に向けながら、この端末部を床面に埋設された水栓本体の側方に接続するもの等も含まれる。
【００１１】
最後に、本出願において参考的に開示する第２の発明（以下、「参考発明２」という。）は、
「屋内の所定の部屋に設置された洗濯機に湯水を供給するための洗濯機用水栓であって、前記部屋の床下から立ち上げられると共に壁面に沿って立設された配管に接続されること」
をその要旨とする。
【００１２】
参考発明２によると、配管処理を床下と壁面前方（部屋内）で行えば足りるため、配管施工やメンテナンスの手間、工数、コスト等が低減される。また、本洗濯機用水栓をパネル工法を用いた部屋等に設置する場合にも、壁面前方に配管が立設されるだけであるため、この部屋の有効スペースを狭めることはない。更に、洗濯機の使用者の足下（床面や洗濯機用パン上）に水栓本体、操作部等を露呈させた、前記「（１）及び（２）の従来例」とは異なり、水栓本体、操作部等を床面よりも上方で、しかも壁面に近接する位置に設置するため、邪魔になり難いと共に、操作部の誤操作を生じ難くなる。尚、本洗濯機用水栓を洗濯機の上下方向に沿った中間部よりも上方側（特に好ましくは、洗濯機よりも上方）に設置すれば、操作部の操作性が向上することになる。
【００１３】
尚、請求項１、参考発明１及び参考発明２の適用対象となる「洗濯機」が、全自動洗濯機である場合には、各洗濯機用水栓の水栓本体にウォーターハンマー緩衝装置を内蔵したり、各配管にウォーターハンマー緩衝装置を別途接続することが好適である。このウォーターハンマー緩衝装置としては、例えば、「所定以上の水圧が生じた際に、膨張してその圧力を吸収する膨張体（ゴム製の袋体を用いて構成されるものや、シリンダーとピストンとを用いて構成されるもの等）を備えたもの」等を例示できる。ウォーターハンマーを生ずると、不快な音や振動等が、床下の配管、床面を通じて使用者に伝わる恐れがあるが、このウォーターハンマー緩衝装置を付加した態様によれば、かかる不具合の発生を防止したり、抑制できるからである。
【００１４】
また、本各発明では、便宜上「湯水」といった文言を使用したが、本各発明に係わる洗濯機用水栓は、湯及び水を取り扱う湯水混合水栓に限らず、水のみを取り扱う単水栓も含むものであり、この場合に「湯水」は「水」を示す。すなわち、本各発明における「湯水」は、洗濯機用水栓が取り扱う液体の広範を示すものである。
【００１５】
【発明の実施の形態】
次に、本各発明に関わる「洗濯機用水栓」の実施の形態を各発明毎に、図面に従って詳細に説明する。
（１）参考発明１の実施の形態
先ず、参考発明１の「洗濯機用水栓」の一具体例を、図１を用いて説明する。
この洗濯機用水栓は、図１（ａ）に示すように、屋内の所定の部屋（洗面所等）に設置された洗濯機Ｓに湯水を供給するものである。尚、本例では、洗濯機Ｓを洗濯機用パン１０上に載置している。
【００１６】
この部屋の床面Ｙには、床下に通じる埋設孔（図示を省略する。）が、洗濯機用パン１０側面に近接する状態に設けられている。そして、収納ボックス２０がこの埋設孔を用いて床面Ｙに埋設されている。この収納ボックス２０は、参考発明１の「収納ボックス」の一具体例を示すものであり、図１（ｂ）に示すように、開口側に鍔部ｔを設けた本体部２１と、本体部２１の開口の一部を封止する蓋部２３と、開口の残部を開閉する扉部２４とを備えている。そして、収納ボックス２０は、本体部２１の鍔部ｔよりも下方の部分を床下に挿入し、鍔部ｔを床面Ｙの挿通孔の周囲に固定している。尚、本例では、本体部２１を底面を備えた略箱形状のものとするが、下端部を開口させた略筒形状のもの等とすることもできる。
【００１７】
本洗濯機用水栓は、図１（ｂ）に示すように、２ハンドルタイプの湯水混合水栓であり、水栓本体３１と、水側の操作部３２と、湯側の操作部３３とを備えている。但し、参考発明１の洗濯機用水栓は、「互いに平面摺動して流路の開閉を行う固定ディスクと可動ディスクとを用いて構成される摺動弁方式」、「各々円筒状に形成されると共に互いに挿嵌された可動弁体と、固定弁体とを備え、互いに周面摺動して流路の開閉を行うロタリー弁方式」、「ワックスエレメントや形状記憶合金エレメント等の温度変化に対応して変形する感温素子を用いて構成され、湯及び水の混合度合いを自動的に調節するサーモスタットカートリッジを内蔵するサーモスタット方式」等の他のタイプの湯水混合水栓や、単水栓等であってもよい。
【００１８】
本例では、洗濯機用水栓の水栓本体３１と、水側の操作部３２と、湯側の操作部３３が収納ボックス２０内に組み込まれている。また、水栓本体３１から垂下する給水接続口３４と給湯接続口３５が、収納ボックス２０底面の挿通孔（図示を省略する。）を通じて収納ボックス２０外に露呈している。そして、給水接続口３４及び給湯接続口３５の端末部には、各々導管（可撓管）Ｄが垂下状に接続され、各導管Ｄの下端にクリップ、止め具を介して接続具Ｅが接続されている。これら各接続具Ｅは、各々床下に配設（本例では立ち上げ仕様）された給水用の配管５２と給湯用の配管５３の端末に取着されたものである。但し、本例と異なり、給水接続口３４と給湯接続口３５を各々対応する配管５２、５３に直に接続してもよいし、給水接続口３４及び給湯接続口３５の配置間隔と、両配管５２、５３の配置間隔とが異なる場合には、例えば、略クランク状のソケットを用いた接続等を行ってもよい。
【００１９】
尚、洗濯機用水栓と各配管５２、５３と間の接続（本例では、「給水接続口３４及び給湯接続口３５と、各導管Ｄとの接続」、並びに、「各導管Ｄと、各配管５２、５３との接続」）は、螺合等の工具を必要とする手法で行われてもよいが、ワンタッチ接続（例えば、本例に示す「クリップ、止め具を介した接続」や、「ソケットとプラグの挿嵌接続」等）を用いると、現場施工の手間がより一層、少なくなる。また、参考発明１では、収納ボックス２０の側面より、給水接続口３４及び給湯接続口３５を露呈させてもよい。更に、本洗濯機用水栓は、予め、床面Ｙに埋設された収納ボックス２０に事後的に組み付けられるものであっても、収納ボックス２０に組み付けられた後に、収納ボックス２０と一体で床面Ｙに埋設されるものであってもよい。但し、後者の一体型とすれば、現場施工の手間等がより一層、低減される。
【００２０】
また、水栓本体３１の湯水供給口には、供給管Ｎを介してジョイントＪが接続され、このジョイントＪの端末部（例えば、カプラー等）は蓋部２３上に立ち上げられている。そして、この端末部には供給用ホースＨが接続されている。但し、この端末部を洗濯機用パン１０内に隠蔽したり、床面Ｙに埋設し、供給用ホースＨの接続端を洗濯機用パン１０内や床面Ｙに埋没させてもよい。
【００２１】
更に、本例では、ジョイントＪと供給用ホースＨの接続部分に供給用ホースＨの着脱に応じて自動的に吐止水を行う、「オートストッパー機構」を付加している。このため、止水操作をせずに供給用ホースＨをジョイントＪから不用意に抜脱しても、湯水が吐水されることがない。
【００２２】
また、使用に際しては、操作部３２、３３を適宜操作し、一端、洗濯機Ｓへの給水量を設定すれば、通常の洗濯を繰り返す限りは操作部３２、３３を操作する必要がなく（例えば、洗濯を終了する度に止水操作を施す必要がない。）、扉部２４は閉じたままの状態とされる。一方、「ウール等の特殊素材の洗濯物」や「油汚れが著しい洗濯物」を取り扱う場合等に、扉部２４を開いて操作部３２、３３を操作し直すことになる。このように、本例では、操作頻度が低い各操作部３２、３３を収納ボックス２０内に隠蔽し、誤操作防止等を図るばかりか、平時は扉部２４を閉鎖して収納ボックス２０上面をフラットにし、この上面を床面Ｙと略同化させている。
【００２３】
また、本例では、周辺器具としてのジョイントＪを収納ボックス２０に設置したが、参考発明１においては、このような周辺器具を収納ボックス２０以外の箇所に設置してもよい。例えば、洗濯機Ｓにより近接する位置に設置すれば、洗濯機Ｓの周囲で露呈する供給用ホースＨの全長をより短く、より目立ち難くできる。具体的には、（ａ）洗濯機用パン１０、（ｂ）洗濯機用パン１０周囲の床面Ｙの部分、若しくは、（ｃ）洗濯機Ｓの脚部を包囲する床面Ｙの部分（特に、洗濯機用パン１０を用いない場合）等から露呈させてもよい。
【００２４】
尚、（ａ）の態様では、洗濯機用パン１０の何れの箇所からジョイントＪを露呈させてもよいが、図２に示すように、洗濯機用パン１０背面側の一方の角部ａから露呈させれば、ジョイントＪや供給用ホースＨがより目立ち難くなり好ましい。また、背面側の左右一対の角部ａ、ｂに挿通孔（ジョイントＪの非露呈部分を挿通するもので、角部ｂでは蓋Ｆを被せたものを図示）を設けることが更に好ましい。この場合には、洗濯機Ｓの機種等に応じて供給用ホースＨの露呈箇所に左右勝手違いがあっても、左右の角部ａ、ｂの挿入孔を使い分けることで的確に対処できる。更に、角部ａと対角線方向に位置する角部ｃに対して挿入孔（蓋Ｆ付きを図示）を設ければ、例えば、図１に図示の洗濯機Ｓを洗濯機用パン１０上にて時計回りに９０度回転して用いる場合等にも的確に対処できる。
【００２５】
また、ジョイントＪを収納ボックス２０以外の箇所に設置する場合には、例えば、図２に示すように、水栓本体３１とジョイントＪとの間に介在される供給管Ｎを床下で引き回すことになる。この供給管Ｎの処理方法（施工方法、メンテナンス方法等）は特に問わないが、洗濯機用パン１０を用いる場合には、洗濯機用パン１０を持ち上げると、ある程度の大きさの排水口が露呈するのが一般的なため、この排水口に作業者の手や工具等を挿入すれば、少々の手間を要しつつも、この処理を行うことができる。これに対して、洗濯機用パン１０を用いない場合には、排水口の大きさが十分とは言えず、この排水口を用いた処理を行うことは実質的に困難なことがある。これは、供給管Ｎの処理ばかりでなく、収納ボックス２０に組み込んだ水栓本体３１と配管５２、５３との接続作業等にも言えることである。
【００２６】
そこで、図２に示すように、参考発明１の「洗濯機用水栓が組み込まれた収納ボックス２０」と、「収納ボックス２０及び洗濯機Ｓ（洗濯機用パン１０）の近傍に位置する床面Ｙの部分に埋設された床下収納ボックス６０」と、で１つのユニットを構成すれば、洗濯機用パン１０の使用の有無に係わらず、供給管Ｎの処理や、水栓本体３１と配管５２、５３との接続作業等が容易となる。一般に、床下収納ボックス６０を取り外せば、床下収納ボックス６０を埋設するための「大型の埋設孔」を通じて、作業者の手や工具等を床下に挿入したり、作業者の体をもぐりこませることが容易であるからである。
【００２７】
また、参考発明１の「収納ボックス」は、単独で埋設されるものに限定されず、他の部材と一体で埋設されるものであってもよい。例えば、図３（ａ）に示すように、床下収納ボックス６０と一体化することができる。尚、この図３（ａ）に示す具体例では、ジョイントＪを洗濯機用パン１０の所望の角部ａより立ち上げると共に、水栓本体３１とジョイントＪとの間に介在される供給管Ｎを床下で引き回している。但し、図示しないが、ジョイントＪを収納ボックス２０や、洗濯機Ｓの脚部を包囲する床面Ｙの部分（特に、洗濯機用パン１０を用いない場合）より立ち上げてもよい。また、図３（ｂ）に示すように、排水トラップ７０と一体としたり、図示しないが洗濯機用パン１０と一体化すること等も可能である。そして、このように、収納ボックス２０を他の部材と一体で埋設する場合には、当該「他の部材」との同時施工が可能であるというメリットを生ずる。
【００２８】
更に、洗濯機Ｓを洗濯機用パン１０を介さずに設置すれば、洗濯機Ｓ周囲のスペースをより有効に利用できる。この場合には、床面Ｙに排水トラップ等の排水部品を埋設するのが一般的であるが、図３（ｂ）に示すように、収納ボックス２０を排水部品（排水トラップ７０）と一体化したり、排水部品（排水トラップ７０）の近傍に設置すれば、露呈部品としての供給用ホースＨと排水用ホースｈが一箇所に集中するため、洗濯機Ｓ周囲の有効スペースがより一層、拡大する。
また、図示を省略するが、正面に開閉扉を有する横型の洗濯機Ｓを腰高程度の高さの棚の上に設置すれば、洗濯機用水栓が収納ボックス２０に組み込まれて床面Ｙに埋設されるばかりか、洗濯機Ｓ（棚）の下方が空きスペースとされる。例えば、この態様を狭い部屋（例えば、ワンルームマンションの部屋）に適用すれば、その限られた室内空間を無駄なく利用できる。
【００２９】
（２）請求項１の発明の実施の形態
次に、請求項１の発明の「洗濯機用水栓」の一具体例を、図４を用いて説明する。
この洗濯機用水栓は、図４（ａ）に示すように、屋内の所定の部屋（洗面所等）に設置された洗濯機に湯水を供給するものである。また、洗濯機は洗濯機用パン１０上に載置されており、洗濯機用パン１０の側面には切り欠き部１５が設けられ、この切り欠き部１５には蓋体１６が着脱自在に装着される。
【００３０】
本洗濯機用水栓は、図４（ｂ）に示すように、２ハンドルタイプの湯水混合水栓であり、水栓本体３１と、水側の操作部３２と、湯側の操作部３３と、を備えている。但し、請求項１の発明の洗濯機用水栓は、摺動弁方式、ロタリー弁方式、サーモスタット方式等の他のタイプの湯水混合水栓や、単水栓等であってもよい。
そして、本洗濯機用水栓を、その水栓本体３１、水側の操作部３２及び湯側の操作部３３が床面Ｙ上に露呈する状態に設置した後に、この床面Ｙに洗濯機用パン１０が設置される。これにより、水栓本体３１、水側の操作部３２及び湯側の操作部３３が洗濯機用パン１０にて覆われる。但し、水栓本体３１の前面側に突出する水側の操作部３２及び湯側の操作部３３が切り欠き部１５に位置合わせされるため、使用者は切り欠き部１５を通じて本洗濯機用水栓を操作することができる。尚、請求項１の発明においては、例えば、操作部３２、３３を水栓本体３１の上方に突出させ、水栓本体３１を床面Ｙに埋設する場合には、床面Ｙ上に突出する操作部３２、３３のみを洗濯機用パン１０にて覆ってもよい。
【００３１】
また、本例では、水栓本体３１から垂下する給水接続口３４と給湯接続口３５とが、各々床面Ｙの挿通孔（図示を省略する。）を介して床下に到達している。そして、前述の「参考発明１の実施の形態」と同様な手法を用いて、各々床下に配設（本例では立ち上げ仕様）された給水用の配管５２と、給湯用の配管５３とに接続されている。尚、本例においても、この接続をワンタッチで行うことが望ましい。また、請求項１の発明の配管５２、５３には、本例に例示する「床面Ｙに到達しない配管５２、５３」の他に、「床面Ｙ上に到達する配管」や「少なくとも端末部が略水平を向きながら、水栓本体３１の側面に接続されるもの」等も含まれる。
【００３２】
更に、水栓本体３１の湯水供給口は、供給管Ｎを介してジョイントＪに接続されている。このジョイントＪの端末部は、洗濯機用パン１０の側面に露呈し、供給用ホースが接続される。尚、本例においても、ジョイントＪと供給用ホースの接続部分には「オートストッパー機構」が付加されている。そして、通常の洗濯を行う場合には、操作頻度が低い各操作部３２、３３を、洗濯機用パン１０及び蓋体１６にて隠蔽し、誤操作防止等と共に洗濯機用パン１０の外観の向上を図っている。尚、請求項１の発明においては、ジョイントＪを洗濯機用パン１０内に隠蔽したり、床面Ｙに埋設し、供給用ホースＨの接続端を洗濯機用パン１０内や床面Ｙに埋没させてもよい。
【００３３】
また、請求項１の発明では、洗濯機用水栓を洗濯機用パン１０に組み込んで一体とした後に、所望の床面Ｙに設置することもできる。この場合には、洗濯機用水栓と洗濯機用パン１０の同時施工が可能となる。
更に、請求項１の発明は、洗濯機用パン１０の裏面側に操作部３２、３３等を隠蔽する態様に限定されない。例えば、図５に示すように、洗濯機用パン１０の上面側に収納部１７を立ち上げ、この収納部１７内に洗濯機用水栓を収納することもできる。この具体例では、収納部１７の開口に設けられた扉１８を閉じることによって、請求項１の発明に示す「洗濯機用水栓が洗濯機用パン１０にて覆われた状態」の一態様を示す。尚、この具体例のように、収納部１７を縦長に設ければ、幅が狭い「洗濯機用パン１０の周縁側部分」に対しても、本洗濯機用水栓を余裕をもって設置することができる。
尚、請求項１の発明の洗濯機用水栓においても、その近傍に床下収納ボックスを設けたり、床下収納ボックスに一体的に組み込むと、施工作業がし易くなる等の利点が得られる。
【００３４】
（３）参考発明２の実施の形態
更に、参考発明２の「洗濯機用水栓」の一具体例を、図６を用いて説明する。
この洗濯機用水栓は、屋内の所定の部屋（洗面所等）に設置された洗濯機Ｓに湯水を供給するものである。また、この洗濯機Ｓは洗濯機用パン１０上に載置されている。そして、この洗濯機用パン１０の背面側からは、配管収納部（本例では薄板状のものを例示）１Ａが、部屋の壁面Ｗに沿って立ち上げられ、その上端に水栓外郭部（本例では略梁状のものを例示）１Ｂが設けられると共に、この水栓外郭部１Ｂに本洗濯機用水栓が内蔵されている。
【００３５】
また、各々床下から立ち上げられると共に壁面Ｗに沿って立設する給水用の配管及び給湯用の配管（図示を省略）が、配管収納部１Ａ内に挿入されている。更に、水栓外郭部１Ｂには、「２ハンドルタイプの洗濯機用水栓」の水栓本体（図示を省略）が内蔵され、水栓外郭部１Ｂの前面には、水側の操作部３２と湯側の操作部３３とが露呈している。また、側面からはジョイントＪの端末部が露呈し、供給用ホースＨが接続されている。尚、本例においても、この接続部分に「オートストッパー機構」を付加している。また、参考発明２の洗濯機用水栓は、摺動弁方式、ロタリー弁方式、サーモスタット方式等の他のタイプの湯水混合水栓や、単水栓等であってもよい。更に、参考発明２においては、配管若しくは洗濯機用水栓の少なくとも一方が、本例で例示するようなカバー体（配管収納部１Ａ、水栓外郭部１Ｂ）で覆われずに、むき出しとされてもよい。また、ジョイントＪ全体を水栓外郭部１Ｂに内蔵させ、供給用ホースＨの接続端を水栓外郭部１Ｂ内に埋没させてもよい。
【００３６】
本例では、床下から立ち上げられた配管（水側及び湯側）が、壁面Ｗに沿って洗濯機Ｓの上方へと立設され、これに呼応して洗濯機用水栓が洗濯機Ｓの上方で、しかも、壁面Ｗに略接する状態に設置されるため、この洗濯機用水栓は邪魔になり難く、操作部３２、３３の誤操作を生じ難いばかりか、操作し易くなっている。
また、配管を配管収納部１Ａに納めるばかりか、この配管収納部１Ａを薄板状に設けて、洗濯機Ｓ背面側に余裕をもって納めているため、洗濯機Ｓ周囲の外観が向上している。更に、水栓外郭部１Ｂの上面がフラットな平面であるため、洗剤容器の収納棚等として用いることもできる。即ち、本例では、洗濯機Ｓ背面と壁面の間のデッドスペースと、洗濯機Ｓ上方のデッドスペースとを有効活用している。
【００３７】
尚、参考発明２では、配管収納部１Ａ及び水栓外郭部１Ｂを洗濯機用パン１０と一体とすれば、これらの同時施工が可能となる。一方、図７に示すように、配管収納部（略筒形状を例示）１Ａと、水栓外郭部１Ｂを洗濯機用パン１０と別体にすれば、以下のようなメリットを生ずる。即ち、洗濯機Ｓが設置される部屋の大きさ・形状、洗濯機用パン１０の使用の有無・形状、若しくは、洗濯機Ｓのサイズや形状等の事情に沿って、配管収納部１Ａや水栓外郭部１Ｂの配設部位、外形、サイズ等を適宜変更して、より的確な設置状態を得ることができる。尚、この態様では、例えば、配管収納部１Ａを床面Ｙ若しくは壁面Ｗの少なくとも一方に固定し、水栓外郭部１Ｂ（洗濯機用水栓）を壁面Ｗに固定することができる。
【００３８】
また、参考発明２では、図８に示すように、配管収納部１Ａを略筒形状に形成すると共に、その上端に洗濯機用水栓（単水栓等）を内蔵したり、配管収納部１Ａの上端に、洗濯機用水栓を内蔵する水栓外郭部１Ｂを付加して、全体を略水栓柱状とすることもできる。この態様では、配管収納部１Ａ等がスマートな外形を呈するため、この配管収納部１Ａをあえて洗濯機Ｓの背面側に配置せずに、洗濯機Ｓの側方に配置しても、邪魔になり難いと共に、洗濯機Ｓ周囲の外観を低下させない。また、このように、洗濯機用水栓を略水栓柱状とすれば、その汎用性を高めることが容易である。例えば、図８に示すように、洗濯機用パン１０を幅広として洗濯機Ｓの側方に洗い場Ａを確保し、配管収納部１Ａ等を洗濯機Ｓの側部後方に立ち上げれば、洗濯機用水栓を洗濯物の手洗い、下洗い、水くみ等の他の用途に対して汎用的に用いることができるからである。尚、参考発明２に係わる洗濯機用水栓では、床から立ち上げられる配管の立ち上げ部位の近傍に床下収納ボックスを設けたり、配管の立ち上げ部分を床下収納ボックスに組み込むと、配管の立ち上げ作業がし易くなる等の利点が得られる。
【００３９】
【発明の効果】
以上のように、請求項１の発明の洗濯機用水栓によると、配管施工やメンテナンスの手間、工数、コスト等を低減できると共に、種々の工法で施工された部屋に対してその有効スペースを狭めることなく、好適に設置できる。
【図面の簡単な説明】
【図１】  （ａ）は参考発明１の実施の形態の洗濯機用水栓等の使用態様を示す概略的な斜視図、（ｂ）は図１（ａ）の要部を示す概略的な斜視図である。
【図２】  参考発明１の実施の形態の他の具体例を説明するための概略的な斜視図である。
【図３】  （ａ）は参考発明１の実施の形態において収納ボックスと床下収納ボックスとを一体化した状態を説明するための概略的な斜視図、（ｂ）は参考発明１の実施の形態において収納ボックスと排水トラップとを一体化した状態を説明するための概略的な斜視図である。
【図４】  （ａ）は請求項１の発明の実施の形態の洗濯機用水栓等の使用態様を示す概略的な斜視図、（ｂ）は図４（ａ）の要部を示す概略的な斜視図である。
【図５】  請求項１の発明の実施の形態の他の具体例を説明するための概略的な斜視図である。
【図６】  参考発明２の形態の洗濯機用水栓等の使用態様を示す概略的な斜視図である。
【図７】  参考発明２の実施の形態の他の具体例を説明するための概略的な斜視図である。
【図８】  参考発明２の実施の形態の更に他の具体例を説明するための概略的な斜視図である。
【符号の説明】
Ｙ；床面、Ｗ；壁面、Ｓ；洗濯機、ａ〜ｃ；角部、Ｈ；供給用ホース、Ｄ；導管、Ｎ；供給管、Ｅ；接続具、Ｊ；ジョイント、Ｆ；蓋、１０；洗濯機用パン、１５；切り欠き部、１６；蓋体、１７；収納部、１８；扉、１Ａ；配管収納部、１Ｂ；水栓外郭部、２０；収納ボックス、２１；本体部、ｔ；鍔部、２３；蓋部、２４；扉部、３１；水栓本体、３２，３３；操作部、３４；給水接続口、３５；給湯接続口、６０；床下収納ボックス、７０；排水トラップ、ｈ；排水用ホース。
【図１】
0004334043.tif 000002
【図２】
0004334043.tif 000003
【図３】
0004334043.tif 000004
【図４】
0004334043.tif 000005
【図５】
0004334043.tif 000006
【図６】
0004334043.tif 000007
【図７】
0004334043.tif 000008
【図８】
0004334043.tif 000009